(57)【要約】      （修正有）【課題】ボトル飲料や缶飲料を置くための手段を備えた食品容器の提供。【解決手段】食品を入れる本体部10と、前記本体部10に被せる蓋部20の組み合わせを有する食品容器１であって、前記蓋部20の表面が、飲料容器100を横倒しに置くことができる凹部30を有している。【選択図】図１
2018027782.tif 000002
【特許請求の範囲】
【請求項１】
食品を入れる本体部と、前記本体部に被せる蓋部の組み合わせを有する食品容器であって、
前記蓋部の表面が、飲料容器を横倒しに置くことができる凹部を有している、食品容器。
【請求項２】
前記本体部が、底面部、前記底面部の周囲から伸ばされた側面部、および前記底面部に対向する開口部を有しており、前記蓋部が、平面部、前記平面部の周囲から伸ばされた側面部、および前記平面部に対向する開口部を有しており、前記本体部と前記蓋部が、互いの開口部同士において組み合わされるものであり、
前記蓋部の平面部の表面が、飲料容器を横倒しに置くことができる凹部を有している、請求項１記載の食品容器。
【請求項３】
前記本体部が、底面部、前記底面部の周囲から伸ばされた側面部、および前記底面部に対向する開口部を有しているもので、前記開口部の最短内径（Ｄ）と前記開口部から前記底面部までの深さ（Ｌ）の比（Ｌ／Ｄ）が２以下のものであり、前記蓋部が平板状のものであり、前記本体部の開口部に前記蓋部が被せられるものであり、
前記蓋部の平面部の表面が、飲料容器を横倒しに置くことができる凹部を有している、請求項１記載の食品容器。
【請求項４】
前記凹部が湾曲面を有しているものである、請求項１〜３のいずれか１項に記載の食品容器。
【請求項５】
前記凹部の平面形状が、長方形、正方形および楕円形から選ばれるものである、請求項１〜４のいずれか１項に記載の食品容器。
【請求項６】
前記凹部の平面形状が、長方形、前記長方形の角部が丸みを帯びた形状、前記長方形の対向する二つの短辺が曲線である形状、前記長方形の角部が丸みを帯び、かつ対向する二つの短辺が曲線である形状から選ばれるものである、請求項１〜４のいずれか１項に記載の食品容器。
【請求項７】
前記凹部が平坦な部分を有しており、前記平坦な部分が必要な情報の刻印部となるものである、請求項１〜６のいずれか１項に記載の食品容器。
【請求項８】
前記蓋部および前記本体部の平面形状が同一形状であり、いずれも長方形、正方形、六角形、円形、楕円形から選ばれるものである、請求項１〜７のいずれか１項に記載の食品容器。
【請求項９】
前記凹部が、幅方向の断面形状が円形またはそれに近似した形状のボトル飲料および缶飲料から選ばれる飲料容器を置くためのものである、請求項１〜８のいずれか１項に記載の食品容器。
【発明の詳細な説明】
【技術分野】
【０００１】
本発明は、弁当、サンドイッチ、総菜などの各種食品入れる食品容器に関する。
【背景技術】
【０００２】
昼食用などとして、コンビニエンスストア、持ち帰り弁当店、スーパーマーケットなどでプラスチック容器に入った弁当などを買い、職場や家庭に持ち帰って食べることが多くなっている。
例えば、コンビニエンスストアで弁当を買ったときは、図１２（ａ）に示すようにして弁当５０をプラスチック製の袋110に入れた状態にて、手で提げて持って帰ることになる。
しかし、弁当101と一緒にいわゆるペットボトル飲料などを購入して、プラスチック製の袋110に弁当101とペットボトル飲料100を入れたときには、ペットボトル飲料100の自重によってバランスが崩れてしまい、図１２（ｂ）に示すように、弁当101が横倒しになってしまうことがある。
このように横倒しになった状態の弁当101を持って帰ると、内容物が一方向に片寄ってしまったり、異なるおかず同士が混ざり合ったりして、せっかくの食事を十分に楽しむことができなくなる。
【０００３】
特許文献１〜３は、弁当容器や食品容器の発明であるが、ペットボトル飲料や缶飲料との関係が記載されたものはない。
特許文献４は、図１にも示されているとおり、弁当容器本体２の中に収容部６を設けて、そこに高さ方向に伸縮できるコップ本体１を収容できるようにした弁当容器の発明が開示されている。
特許文献５は、弁当容器セットの通い用ケースの発明であり、飯器を収容する保温容器および菜器、箸入れを収容できる容積を有したボックス形状をなしたものである。
【先行技術文献】
【特許文献】
【０００４】
【特許文献１】特開２０１１−２５０８１８号公報
【特許文献２】特開２００９−２８３２５号公報
【特許文献３】特開２００８−１８４１７８号公報
【特許文献４】特開２００６−１４３２８４号公報
【特許文献５】特開２０１１−２５４８５０号公報
【発明の概要】
【発明が解決しようとする課題】
【０００５】
本発明は、弁当、サンドイッチ、総菜などの各種食品を入れる食品容器であり、ボトル飲料や缶飲料を置くための手段を備えた食品容器を提供することを課題とする。
【課題を解決するための手段】
【０００６】
本発明は、食品を入れる本体部と、前記本体部に被せる蓋部の組み合わせを有する食品容器であって、
前記蓋部の表面が、飲料容器を横倒しに置くことができる凹部を有している、食品容器である。
【発明の効果】
【０００７】
本発明の食品容器は、ボトル飲料や缶飲料を横倒しに置くための凹部を備えている。このため、本発明の食品容器を使用した弁当とボトル飲料や缶飲料を購入後、弁当（食品容器）の凹部にボトル飲料や缶飲料を置いた状態でプラスチック製の袋に入れて持ち帰りすることで、ボトル飲料や缶飲料の自重により弁当が傾くことがなくなる。
【図面の簡単な説明】
【０００８】
【図１】（ａ）は、本発明の食品容器の斜視図、（ｂ）は（ａ）の食品容器にペットボトル飲料容器を置いた状態を示す斜視図。
【図２】図１の食品容器の蓋部の平面図。
【図３】図２の蓋部のIII−III線に沿う断面図。
【図４】図３の別実施形態の断面図。
【図５】別実施形態の食品容器の蓋部の平面図。
【図６】図５の蓋部のVI−VI線に沿う断面図。
【図７】図６の別実施形態の断面図。
【図８】本発明の食品容器の蓋部と本体部の高さ関係を説明するための幅方向断面図。
【図９】さらに別実施形態の食品容器の蓋部の平面図。
【図１０】図１の食品容器の使用状態を説明する図。
【図１１】さらに別実施形態の食品容器の縦方向断面図。
【図１２】従来技術の食品容器の使用状態を説明する図。
【発明を実施するための形態】
【０００９】
＜図１の食品容器＞
図１（ａ）は、本発明の食品容器１の斜視図である。
食品容器１は、食品を入れる本体部１０と、本体部１０に被せる蓋部２０の組み合わせからなるものである。
【００１０】
本体部１０は、底面部１１、底面部１１の周囲から伸ばされた側面部１２〜１５、および底面部１１に対向する開口部１６（図８）を有している。
図１では、底面部１１に対して側面部１２〜１５は傾斜面になっているが、底面部１１に対して垂直面であってもよいし、側面部１２、１４と側面部１３、１５のいずれかいずれか一方の組み合わせが傾斜面で、他方の組み合わせが垂直面であってもよい。
本体部１０の平面形状は、食品を入れることができる形状であればよく、長方形、正方形、四角形を除く多角形（三角形、五角形、六角形など）、円形、楕円形、菱形、台形、星形、不定形から選ばれる形状のほか、特定のキャラクターをかたどったもの、犬、猫、鳥など動物の形状をかたどったもの、魚、貝などの魚介類の形状をかたどったもの、様々な花、葉、木などの植物をかたどったもの、地形をかたどったものなど、乗り物をかたどったものにすることができる。
本体部１０の平面形状は、長方形、正方形、四角形を除く多角形（六角形など）、円形、楕円形から選ばれるものが好ましい。
本体部１０は、透明でもよいし、着色されたり、模様が付されたりしていてもよい。また、必要に応じて補強用のリブを形成することができる。
【００１１】
蓋部２０は、平面部（天井部）２１、平面部２１の周囲から伸ばされた側面部２２〜２５、および平面部２１に対向する開口部２７（図３）を有している。
平面部２１と側面部２２〜２５の境界部には、補強のためのリブ２６が形成されている。
側面部２２〜２５は、平面部２１に対して傾斜面でも垂直面でもよく、本体部１０の側面部１２〜１５の対応する面と同じ面形状にする。
蓋部２０の平面形状は本体部１０と同一形状であり、飲料容器を横倒しに置くことができる凹部を形成できる形状であればよく、長方形、正方形、四角形を除く多角形（六角形など）、円形、楕円形から選ばれるものが好ましい。
蓋部２０は、透明でもよいし、着色されたり、模様が付されたりしていてもよいが、内容物が見えるようにするため、一部または全部が透明であることが好ましい。また、必要に応じてさらに補強用のリブを形成することができる。
【００１２】
本体部１０と蓋部２０は、熱可塑性樹脂からなるものである。前記熱可塑性樹脂は、食品容器として使用可能なものであれば特に制限されるものではなく、公知の熱可塑性樹脂を使用することができる。好ましくはスチレン系樹脂であり、汎用ポリスチレンを使用することができる。
【００１３】
本体部１０と蓋部２０は、互いの開口部同士において組み合わされるものであり、組み合わせたときに蓋部２０が本体部１０から簡単に外れないようにすることが好ましい。ここで「簡単に外れないようにする」とは、調理場から店内の陳列ケースに運ぶ際や購入後に持ち帰る際に簡単に外れないようにする意味であり、食事をする際には手で簡単に外すことができる意味である。
例えば、本体部１０の開口部周縁に溝を形成し、蓋部２０の開口部周縁に前記溝に対応する突起を形成しておき、本体部１０に蓋部２０を被せるときは、前記溝と前記突起を嵌め合わせるようにすることができる。
また本体部１０の周縁部と蓋部２０の周縁部の形状を異ならせたり、蓋部２０に爪などを形成したりすることで、消費者が購入後に本体部１０から蓋部２０を取り外し易くできるようにすることもできる。
また、本体部１０と蓋部２０は、それぞれを積み重ねた状態で保管するが、作業時に１枚ずつが取り外し易くなるようにするため、周囲にスタック防止の突起を形成することができる。
【００１４】
蓋部２０の平面部２１の表面（本体部１０と反対側の面）は、飲料容器を横倒しに置くことができる凹部３０を有している。
図１、図２では凹部３０は１箇所であるが、蓋部２０の大きさや形状に応じて２箇所以上にすることもできる。
図１、図２では、蓋部２０の平面形状が長方形であるため、凹部３０は長さ方向に形成されているが、凹部３０の形状方向は、蓋部の平面形状に応じて変えることができる。
蓋部の形状が六角形であるときには、いずれかの対角線方向に凹部を形成することができる。
蓋部の平面形状が円形であるときは、中心を含む直径方向に凹部を形成することができる。
蓋部の平面形状が楕円形であるときは、長軸方向に凹部を形成することができる。
蓋部が動物などの形を模したもののような場合には、飲料容器に対応した長さをとることができる位置に凹部を形成することができる。
【００１５】
凹部３０は、図１（ｂ）に示すとおり、飲料容器100を横倒しに置くことができる程度の形状と大きさを有しているものであればよい。
ここで「飲料容器」とは、例えば、１００〜６００ｍｌ程度のペットボトル飲料（プラスチックボトル飲料）、１００〜６００ｍｌ程度の缶飲料（スチール缶飲料、アルミニウム缶飲料など）である。余り容量が大きな飲料容器であると、食品容器１自体が潰れてしまうし、例えば容量１Ｌの飲料容器を横倒しに置くことができる食品容器にするには、厚み大きくしたり、たくさんのリブを形成したりして強度を上げることになり、現実的ではない。
【００１６】
凹部３０は平面部２１の範囲内（リブ２６があるときは、リブ２６の内側）に形成することができるが、一部がリブ２６に掛かっていてもよい。
凹部３０は、平面部２１の幅（側面２３から側面２５方向）の一部または全部、平面部２１の長さ（側面２２から側面２４方向）の一部または全部に形成することができる。
図１、図２では、平面部２１の幅の半分程度で、平面部２１の長さと同程度の範囲に形成されている。
図５では、凹部130は、平面部２１の幅と同程度の範囲で、平面部２１の長さと同程度の範囲に形成されている。
【００１７】
凹部３０の平面形状は、飲料容器100を横倒しに置くことができるようにするため、長方形、正方形および楕円形から選ばれるものが好ましい。
凹部２６の平面形状は、飲料容器100を横倒しに置くことができるようにするため、長方形、前記長方形の角部が丸みを帯びた形状、前記長方形の対向する二つの短辺が曲線である形状、前記長方形の角部が丸みを帯び、かつ対向する二つの短辺が曲線である形状から選ばれるものがより好ましい。
図２に示す凹部３０は、平面形状が長方形の角部が丸みを帯びた形状のものである。
【００１８】
凹部３０の幅方向の断面形状は、通常市販されている飲料容器（図３（ａ）において破線で示す飲料容器100）の外形が円柱またはそれに近い形状のものであることを考慮すると、図３（ａ）に示すとおり、湾曲面を有しているものが好ましいが、側面と底面（平坦面）からなる凹部面を有しているもの、傾斜面の組み合わせからなる凹部面を有しているものでもよい。
図１、図２の凹部３０は、側面２２から側面２４までがほぼ同一形状の湾曲面からなるものである。
湾曲面は、弓なりの面であるが、断面形状が円弧形状のものも含むものであり、例えば、断面形状が１／６円弧〜１／２円弧の範囲の湾曲面にすることができる。
【００１９】
凹部３０は、図４に示す平坦部３１、図７に示す平坦部131を有しているものでもよい。平坦部３１および平坦部131は、必要な情報の刻印部となるものであり、例えば消費者がゴミを分別するときの目安となる「プラ」などの文字を刻印することができる。
【００２０】
本発明の食品容器１は、図８に示す本体部１０に蓋部２０を被せたときの底面部１１から凹部３０の最も低い位置までの高さＨと、本体部１０の底面部１１から本体部１０の開口部２７（開口部２７と接する側面２２〜２５の縁）までの高さＨ１が、Ｈ／Ｈ１＝１〜３の範囲にあることが好ましい。
Ｈ／Ｈ１＝１〜３の範囲であると、図１（ｂ）に示すように蓋部２０にボトル飲料100を置くことで蓋部２０が底面部１１方向に下がった場合でも、平面部１１（凹部３０）を介して食品とボトル飲料100が接触することを防止できる。このため、温めた食品（弁当）容器１の凹部３０に冷たいボトル飲料を置いた場合でも、職場や家庭まで持ち帰る程度の時間であれば、食品（弁当）が冷えることがない。
【００２１】
＜図９の食品容器＞
図１の食品容器１の別実施形態となる、図９の蓋部５０を使用した食品容器にすることもできる。
図９に示す食品容器の蓋部５０は、平面形状が正方形のものであり、平面部５１、４つの側面５２〜５５を有しており、平面部５１には、二つの凹部６１、６２を有している。
図９では、二つの凹部６１、６２は平行に並べて形成されているが、二つの凹部を十字状およびＸ状に形成することもできる。
また図９に示す蓋部５０を食品容器の蓋部として使用するときは、蓋部５０の二つの凹部６１、６２の中間位置に本体部側に突き出されたリブを形成し、本体部には前記蓋部のリブに対応する位置に蓋部側に突き出された仕切り壁（例えば、ご飯とおかずの仕切り壁、またはおかず同士の仕切り壁）を形成することができる。
このような蓋部５０と本体部を使用した食品容器（弁当容器）の二つの凹部６１、６２に二本の飲料容器を置いて蓋部５０が下がったときには、蓋部５０のリブと本体部の仕切り壁が当接することで蓋部５０が下から支持され、蓋部５０のそれ以上の低下が阻止されるため、飲料容器と弁当の内容物が凹部６１、６２を介して接触することがなくなる。
【００２２】
次に図１０により本発明の食品容器１を持ち帰り用弁当にしたときの使用方法を説明する。
職場や家庭近くのコンビニエンスストアにて弁当１Ａ（食品容器１を使用した弁当）とペットボトルのお茶100を購入したとき、プラスチック製の袋110内にまず弁当１Ａを入れた後、凹部３０にペットボトルのお茶100を置く。
その状態で手提げ部分111を手に持ち、歩いて職場や家庭に持ち帰る途中においても、ペットボトルのお茶100は凹部３０において支持されているため、図１２（ｂ）に示すような状態になることはない。
また上記したとおり、食品容器１が図８に示すＨ／Ｈ１の関係を満たしているときは、温めた弁当１Ａの上に冷たいペットボトルのお茶100を置いても、蓋部２０（凹部３０）を介してお茶100と弁当の内容物が接触することがないため、弁当が冷えることもない。
その後、持ち帰った弁当１Ａは、買ったときのままであるから、ペットボトルのお茶100を飲みながら、楽しい食事をすることができる。
【００２３】
＜図１１の食品容器＞
図１１の食品容器７０は、本体部７１が底の深い容器の実施形態である。例えば、丼物の持ち帰り弁当などでは、底が深い本体部と、平坦な蓋の組み合わせからなる容器を使用したものが市販されている。
【００２４】
本体部７１は、底面部７２と側面部７３を有しており、開口部径（開口部長さ）Ｄと底面部７２までの深さＬの比（Ｌ／Ｄ）が２以下（例えば２〜１）のものである。
蓋部７５は、平面部７６と短い側面部７７を有しており、飲料容器を横倒しに置くことができる凹部７８を有している。
本体部７１に蓋部７５を被せたときは、平面部７６が本体部７１の開口部周縁７１ａと接触し、短い側面部７７の内側面の全体が側面部７３の外側面に接触するため、蓋部７５は実質的に平板状である。
図１１の食品容器は、本体部７１と蓋部７５の平面形状が円形、楕円形、正方形、正六角形であるものが好ましい。
図１１の食品容器７０も、図１の食品容器１と同様に図１０のようにして使用することができる。
また本体部７１の底が深いため、蓋部７５の凹部７８にペットボトル容器100を置いた場合でも、内部の食品とペットボトル容器100が凹部７８を介して接触することはない。
【産業上の利用可能性】
【００２５】
本発明の食品容器は、和食、洋食、中華などの各種持ち帰り弁当、駅弁、各種サンドイッチ、各種総菜などの容器として使用することができる。
【符号の説明】
【００２６】
１  食品容器
１Ａ  食品容器に入れた弁当
１０  本体部
１１  本体部の底面部
１２〜１５  本体部の側面部
２０  蓋部
２１  平面部
２２〜２５  側面部
３０  凹部
３１  凹部の平坦部
１００  ペットボトルのお茶
【図１】
2018027782.tif 000003
【図２】
2018027782.tif 000004
【図３】
2018027782.tif 000005
【図４】
2018027782.tif 000006
【図５】
2018027782.tif 000007
【図６】
2018027782.tif 000008
【図７】
2018027782.tif 000009
【図８】
2018027782.tif 000010
【図９】
2018027782.tif 000011
【図１０】
2018027782.tif 000012
【図１１】
2018027782.tif 000013
【図１２】
2018027782.tif 000014